(57)【要約】  固定ラック（２）と、固定ラック（２）に取り付けられた隙間調節機構と、固定ラック（２）に移動可能に接続されている少なくとも二つの可動ブロック（３）とを含み、ＬＥＤモジュール（１００）は、可動ブロック（３）に取り付けられ、隙間調節機構の両端は、それぞれ可動ブロック（３）に接続され、両側の可動ブロック（３）を相互に離れさせ又は近づかせるように調節することによって、可動ブロック（３）に取り付けられたＬＥＤモジュール（１００）の間の隙間を調節するＬＥＤモジュール取付け機構を開示した。ＬＥＤモジュール及びＬＥＤディスプレイスクリーンの技術分野に属する。当該ＬＥＤモジュール取付け機構は、従来技術におけるＬＥＤモジュールの平面隙間を調節する方式が複雑で不安定であり、且つＬＥＤモジュールの平面に垂直な方向での平面度の調節を実現できないという技術問題を解決した。特にＬＥＤモジュールに垂直な方向での平面度及びＬＥＤモジュールの平面隙間を同時に調節することに適し、調節操作が簡単で、調節効果が安定的である。【選択図】図２
2017506368.tif 000002
【特許請求の範囲】
【請求項１】
固定ラック（２）と、前記固定ラック（２）に取り付けられた隙間調節機構と、前記固定ラック（２）に移動可能に接続されている少なくとも二つの可動ブロック（３）とを含むＬＥＤモジュール取付け機構であって、前記ＬＥＤモジュール（１００）は、前記可動ブロック（３）に取り付けられ、前記隙間調節機構の両端は、それぞれ前記可動ブロック（３）に接続され、両側の前記可動ブロック（３）を相互に離れさせ又は近づかせるように調節することによって、前記可動ブロック（３）に取り付けられた前記ＬＥＤモジュール（１００）の間の隙間を調節することを特徴とする、ＬＥＤモジュール取付け機構。
【請求項２】
前記固定ラック（２）は、水平ラック（２１）及び垂直ラック（２２）で構成され、前記水平ラック（２１）の延び方向がＸ軸方向と定義され、前記垂直ラック（２２）の延び方向がＹ軸方向と定義され、
前記可動ブロック（３）は、前記水平ラック（２１）と前記垂直ラック（２２）の両側に四つ設けられ、「田」字状に分布されており、前記水平ラック（２１）の両側に設けられた前記可動ブロック（３）は、Ｘ軸方向に移動でき、前記垂直ラック（２２）の両側に設けられた前記可動ブロック（３）は、Ｙ軸方向に移動でき、前記可動ブロック（３）毎には一つの前記ＬＥＤモジュール（１００）が取り付けられており、
前記隙間調節機構は、少なくとも三つ設けられ、それぞれ前記水平ラック（２１）と前記垂直ラック（２２）に取り付けられており、前記隙間調節機構毎の両端は、それぞれ二つの前記可動ブロック（３）に接続され、両側の前記可動ブロック（３）を相互に離れさせ又は近づかせるように調節することによって、二つの前記可動ブロック（３）に取り付けられた二つのＬＥＤモジュール（１００）の間の隙間を調節し、そのうち、前記水平ラック（２１）に取り付けられた隙間調節機構は、Ｙ軸隙間調節機構となり、前記垂直ラック（２２）に取り付けられた隙間調節機構は、Ｘ軸隙間調節機構となり、且つ前記Ｙ軸隙間調節機構は、全体がＸ軸方向に移動可能に前記水平ラック（２１）に設けられ、前記Ｘ軸隙間調節機構は、全体がＹ軸方向に移動可能に前記垂直ラック（２２）に設けられていることを特徴とする、請求項１に記載のＬＥＤモジュール取付け機構。
【請求項３】
前記水平ラック（２１）には、長手方向がＸ軸方向に延びるＸ方向短冊状貫通孔（２１１）が成形され、前記垂直ラック（２２）には、長手方向がＹ軸方向に延びるＹ方向短冊状貫通孔（２２１）が成形されており、前記Ｘ軸隙間調節機構は、移動可能に前記Ｙ方向短冊状貫通孔（２２１）の内にあり、且つ前記Ｘ軸隙間調節機構の両端は、前記Ｙ方向短冊状貫通孔（２２１）から伸び出して左右の二つの前記可動ブロック（３）に接続されており、二つの前記可動ブロック（３）をＸ軸方向に相互に離れさせ又は近づかせるように駆動でき、前記Ｙ軸隙間調節機構は移動可能にＸ軸方向短冊状貫通孔（２１１）の内にあり、且つ前記Ｙ軸隙間調節機構の両端は、前記Ｘ方向短冊状貫通孔（２１１）から伸び出して上下の二つの前記可動ブロック（３）に接続されており、二つの前記可動ブロック（３）をＹ軸方向に相互に離れさせ又は近づかせるように駆動できることを特徴とする、請求項２に記載のＬＥＤモジュール取付け機構。
【請求項４】
前記隙間調節機構は、両端にねじが成形された調節スクリューであり、前記Ｘ軸隙間調節機構は、Ｘ軸調節スクリュー（４）であり、前記Ｙ軸隙間調節機構は、Ｙ軸調節スクリュー（５）であり、前記可動ブロック（３）における、前記Ｘ軸調節スクリュー（４）に向かう側面には前記Ｘ軸調節スクリュー（４）とねじ接続することに適するＸ軸ねじ穴（３５）が成形され、前記Ｙ軸調節スクリュー（５）に向かう側面には前記Ｙ軸調節スクリュー（５）とねじ接続することに適するＹ軸ねじ穴（３６）が成形されていることを特徴とする、請求項３に記載のＬＥＤモジュール取付け機構。
【請求項５】
前記Ｘ軸調節スクリュー（４）は、Ｘ軸調節部（４１）と、前記Ｘ軸調節部（４１）の両側に固定接続された二つのＸ軸ねじ部（４２）とを含み、二つの前記Ｘ軸ねじ部（４２）のねじ山方向が反対のものであり、二つの前記Ｘ軸ねじ部（４２）は、それぞれ前記Ｘ軸調節スクリュー（４）の両側の前記Ｘ軸ねじ穴（３５）とねじ接続され、前記Ｘ軸ねじ穴（３５）のねじ山方向が対応する前記Ｘ軸ねじ部（４２）と嵌合しており、前記Ｙ軸調節スクリュー（５）は、Ｙ軸調節部（５１）と、前記Ｙ軸調節部（５１）の両側に固定接続された二つのＹ軸ねじ部（５２）と、を含み、二つの前記Ｙ軸ねじ部（５２）のねじ山方向が反対のものであり、二つの前記Ｙ軸ねじ部（５２）は、それぞれ前記Ｙ軸調節スクリュー（５）の両側の前記Ｙ軸ねじ穴（３６）とねじ接続され、前記Ｙ軸ねじ穴（３６）のねじ山方向が対応する前記Ｙ軸ねじ部（５２）と嵌合していることを特徴とする、請求項４に記載のＬＥＤモジュール取付け機構。
【請求項６】
前記固定ラック（２）は、取外し可能に第一固定ラック（２３）と第二固定ラック（２４）が上下に係合して構成されたものであり、前記Ｘ軸調節スクリュー（４）とＹ軸調節スクリュー（５）は、いずれも前記第一固定ラック（２３）と前記第二固定ラック（２４）との間に収容されており、前記第一固定ラック（２３）又は前記第二固定ラック（２４）における、前記Ｘ軸調節スクリュー（４）に対応する箇所には、長手方向がＹ軸方向に延びる開口（２５）が開口され、前記Ｙ軸調節スクリュー（５）に対応する箇所には、長手方向がＸ軸方向に延びる開口（２６）が開口されており、前記Ｘ軸調節部（４１）の少なくとも一部及び前記Ｙ軸調節部（５１）の少なくとも一部は、いずれもその対応する前記開口（２５）、（２６）内にあり、且つ前記開口（２５）、（２６）における対向する二つの長側壁は、その中にある前記Ｘ軸調節部（４１）の部分又は前記Ｙ軸調節部（５１）の部分に対して位置制限を行うことによって、前記Ｘ軸調節部（４１）又は前記Ｙ軸調節部（５１）に対する位置制限を実現することを特徴とする、請求項４又は５に記載のＬＥＤモジュール取付け機構。
【請求項７】
前記Ｘ軸調節部（４１）の外周側壁には、ツールを挿入してＸ軸調節スクリュー（４）を回転させることを容易にする複数のＸ軸調節孔（４１１）が開口され、前記Ｙ軸調節部（５１）の外周側壁には、ツールを挿入してＹ軸調節スクリュー（５）を回転させることを容易にする複数のＹ軸調節孔（５１１）が開口されていることを特徴とする、請求項５又は６のいずれか１項に記載のＬＥＤモジュール取付け機構。
【請求項８】
前記可動ブロック（３）毎における前記固定ラック（２）に向かう面には、少なくとも一つのバンプ（３１）が成形され、前記固定ラック（２）における対応する位置に凹溝（２７）が設けられ、前記バンプ（３１）は、前記凹溝（２７）に移動可能に係合されていることを特徴とする、請求項１−７のいずれか１項に記載のＬＥＤモジュール取付け機構。
【請求項９】
前記可動ブロック（３）に取り付けられた前記ＬＥＤモジュール（１００）の平面に垂直な方向がＺ軸方向と定義され、前記ＬＥＤモジュール取付け機構は、前記可動ブロック（３）の中に取り付けられたＺ軸調節機構をさらに含み、前記ＬＥＤモジュール（１００）の隅部には、Ｚ軸連携構造が対応して設けられており、前記Ｚ軸調節機構は、前記ＬＥＤモジュール（１００）の前記Ｚ軸連携構造と共働して、前記ＬＥＤモジュール（１００）をＺ軸方向に前記可動ブロック（３）に近づかせ又はそれから離れさせるように調節することを特徴とする、請求項１−８のいずれか１項に記載のＬＥＤモジュール取付け機構。
【請求項１０】
前記可動ブロック（３）には、Ｚ軸方向に延びる取付け穴（３２）が成形されており、前記Ｚ軸調節機構は、軸方向に前記取付け穴（３２）内に位置制限されたＺ軸調節スクリュー（６）であり、前記Ｚ軸連携構造は、前記ＬＥＤモジュール（１００）の裏面の隅部に形成されたＺ軸調節スタッド（７）であり、前記Ｚ軸調節スクリュー（６）は、前記ＬＥＤモジュール（１００）の隅部に形成されたＺ軸調節スタッド（７）とねじ接続されていることを特徴とする、請求項９に記載のＬＥＤモジュール取付け機構。
【請求項１１】
前記可動ブロック（３）毎に長手方向がＺ軸方向に延びる少なくとも一つの位置決め柱（３３）が設けられ、前記ＬＥＤモジュール（１００）における前記可動ブロック（３）に対応して接続する隅部には、前記位置決め柱（３３）が挿入されることに適する少なくとも一つの位置決め穴（８）が設けられており、前記位置決め柱（３３）は、前記位置決め穴（８）に挿入されることができることを特徴とする、請求項１０に記載のＬＥＤモジュール取付け機構。
【請求項１２】
前記取付け穴（３２）の内壁には、段差（３４）が成形され、前記Ｚ軸調節スクリュー（６）におけるツールで捻ることに適するヘッドには、環状突起（６１）が成形されており、前記環状突起（６１）は、一方側が前記段差（３４）に当接し、他方側に位置制限ブロック（９）が設けられており、前記Ｚ軸調節スクリュー（６）は、前記段差（３４）により前記位置制限ブロック（９）と軸方向に前記取付け穴（３２）内に位置制限されていることを特徴とする、請求項１１に記載のＬＥＤモジュール取付け機構。
【発明の詳細な説明】
【技術分野】
【０００１】
本発明はＬＥＤモジュールの分野に属し、特にＬＥＤモジュール取付け機構に関する。
【背景技術】
【０００２】
現在、様々な屋内外運動場所において、ＬＥＤディスプレイスクリーンにより広告を放映し、舞台に設置すること等が多い。ＬＥＤディスプレイスクリーンによる表示効果に対する要求はますます高くなっている。現在汎用されている大型のＬＥＤディスプレイスクリーンは、複数のＬＥＤモジュールをＬＥＤモジュール取付け機構でつなぎ合わせたものであり、組立て過程においては、ＬＥＤモジュールの間に隙間が残り、及び、高さがでこぼこになるという現象が不可避的に発生し、そして、従来のＬＥＤモジュール取付け機構は、ＬＥＤモジュールの間の隙間と平面度を調節することが一般的に不可能であるため、ＬＥＤディスプレイスクリーン全体のシャープネスと表示効果に影響することになってしまう。
【０００３】
ＬＥＤディスプレイスクリーンは多年の発展を経て、ドットピッチがますます小さくなっているが、高精密な機械加工及び優れた組立てプロセスによっても、従来のＬＥＤモジュール取付け機構を使用する場合、つなぎ合わせ部位に完全にキャップをなくすことができず、いつも手動でパッキングを加えることにより調整するため、非常に時間がかかる。
【０００４】
図１に示されるように、フレームと、フレームに取り付けられたＬＥＤ表示アセンブリとを含み、フレームは、平行に設けられた二つの横棒１１０の間に接続され、二つの横棒１１０の長手方向に運動できる複数の接続棒１２０を備え、ＬＥＤ表示アセンブリは複数のＬＥＤモジュール１５０を組み立てたものであり、ＬＥＤモジュール１５０の組立て位置には接続棒１２０と吸引し合うことができる磁気部材１５１が固定されている調整可能なＬＥＤ表示構造が存在している。この調整可能なＬＥＤ表示構造は、接続棒１２０が横棒１１０間を滑ることにより、Ｘ軸方向での隙間の調節し、また、ＬＥＤモジュールにおける磁気部材１５１が接続棒１２０と吸引し合うことにより、Ｙ軸方向での隙間を調節するため、調節方式が複雑で、磁気吸引の方式に起因してＬＥＤモジュールの間の隙間も変化しやすく、且つＬＥＤモジュールの平面に垂直なＺ軸方向での隙間又は平面度の調節を実現することができない。Ｘ軸とＹ軸での隙間の調整は、正面にある観衆に対する視覚効果に直接影響し、Ｘ軸とＹ軸での隙間が不合理であれば、正面６０度の範囲にある観衆は、スクリーン同士の間のブライトライン又はブラックラインがはっきりと見える。Ｚ軸での隙間の調整は、側面側にいる観衆に対する視覚効果に直接影響し、Ｚ軸の平面度が不合理であれば、スクリーン同士は側面から見ると高低差があり、側面側にいる観衆は、スクリーンの間のブラックライン又は不連続な画像が見える。
【発明の概要】
【発明が解決しようとする課題】
【０００５】
これに対して、本発明は、従来技術におけるＬＥＤモジュールの平面隙間を調節する方式が複雑で不安定であり、且つＬＥＤモジュールの平面に垂直な方向での平面度の調節を実現できないという技術問題を解決し、調節操作が簡単で、調節効果が安定的であり、且つＬＥＤモジュールに垂直な方向での平面度及びＬＥＤモジュールの平面隙間を同時に調節できるＬＥＤモジュール取付け機構を提供する。
【課題を解決するための手段】
【０００６】
上記の技術問題を解決するために、本発明にかかるＬＥＤモジュール取付け機構は、固定ラックと、前記固定ラックに取り付けられた隙間調節機構と、前記固定ラックに移動可能に接続されている少なくとも二つの可動ブロックとを含み、ＬＥＤモジュールは、前記可動ブロックに取り付けられ、前記隙間調節機構の両端は、それぞれ前記可動ブロックに接続され、両側の前記可動ブロックを相互に離れさせ又は近づかせるように調節することによって、前記可動ブロックに取り付けられた前記ＬＥＤモジュールの間の隙間を調節する。
【０００７】
本発明にかかるＬＥＤモジュール取付け機構において、前記固定ラックは「十」字状を呈し、水平ラック及び垂直ラックで構成され、前記水平ラックの延び方向がＸ軸方向と定義され、前記垂直ラックの延び方向がＹ軸方向と定義され、
前記可動ブロックは、前記水平ラックと前記垂直ラックの両側に四つ設けられ、「田」字状に分布されており、前記水平ラックの両側に設けられた前記可動ブロックは、Ｘ軸方向に移動でき、前記垂直ラックの両側に設けられた前記可動ブロックは、Ｙ軸方向に移動でき、前記可動ブロック毎に一つのＬＥＤモジュールが取り付けられており、
前記隙間調節機構は、少なくとも三つ設けられ、それぞれ前記水平ラックと前記垂直ラックに取り付けられており、前記隙間調節機構毎の両端は、それぞれ二つの前記可動ブロックに接続され、両側の前記可動ブロックを相互に離れさせ又は近づかせるように調節することによって、前記可動ブロックに取り付けられたＬＥＤモジュールの間の隙間を調節し、そのうち、前記水平ラックに取り付けられた隙間調節機構はＹ軸隙間調節機構となり、前記垂直ラックに取り付けられた隙間調節機構はＸ軸隙間調節機構となり、且つ前記Ｙ軸隙間調節機構は全体がＸ軸方向に移動可能に前記水平ラックに設けられ、前記Ｘ軸隙間調節機構は全体がＹ軸方向に移動可能に前記垂直ラックに設けられている。
【０００８】
前記水平ラックには、長手方向がＸ軸方向に延びるＸ方向短冊状貫通孔が成形され、前記垂直ラックには、長手方向がＹ軸方向に延びるＹ方向短冊状貫通孔が成形されており、前記Ｘ軸隙間調節機構は、移動可能に前記Ｙ方向短冊状貫通孔の内にあり、且つ前記Ｘ軸隙間調節機構の両端は、前記Ｙ方向短冊状貫通孔から伸び出して左右の二つの前記可動ブロックに接続され、二つの前記可動ブロックをＸ軸方向に相互に離れさせ又は近づかせるように駆動でき、前記Ｙ軸隙間調節機構は、移動可能にＸ軸方向短冊状貫通孔の内にあり、且つ前記Ｙ軸隙間調節機構の両端は、前記Ｘ方向短冊状貫通孔から伸び出して上下の二つの前記可動ブロックに接続され、二つの前記可動ブロックをＹ軸方向に相互に離れさせ又は近づかせるように駆動できる。
【０００９】
前記隙間調節機構は、両端にねじが成形された調節スクリューであり、前記Ｘ軸隙間調節機構は、Ｘ軸調節スクリューであり、前記Ｙ軸隙間調節機構は、Ｙ軸調節スクリューであり、前記可動ブロックにおける、前記Ｘ軸調節スクリューに向かう側面には前記Ｘ軸調節スクリューとねじ接続することに適するＸ軸ねじ穴が成形され、前記Ｙ軸調節スクリューに向かう側面には前記Ｙ軸調節スクリューとねじ接続することに適するＹ軸ねじ穴が成形されている。
【００１０】
前記Ｘ軸調節スクリューは、Ｘ軸調節部と、前記Ｘ軸調節部の両側に固定接続された二つのＸ軸ねじ部とを含み、二つの前記Ｘ軸ねじ部のねじ山方向が反対のものであり、二つの前記Ｘ軸ねじ部は、それぞれ前記Ｘ軸調節スクリューの両側の前記Ｘ軸ねじ穴とねじ接続され、前記Ｘ軸ねじ穴のねじ山方向が対応する前記Ｘ軸ねじ部と嵌合しており、前記Ｙ軸調節スクリューは、Ｙ軸調節部と、前記Ｙ軸調節部の両側に固定接続された二つのＹ軸ねじ部とを含み、二つの前記Ｙ軸ねじ部のねじ山方向が反対のものであり、二つの前記Ｙ軸ねじ部はそれぞれ前記Ｙ軸調節スクリューの両側の前記Ｙ軸ねじ穴とねじ接続され、前記Ｙ軸ねじ穴のねじ山方向が対応する前記Ｙ軸ねじ部と嵌合している。
【００１１】
前記固定ラックは、取外し可能に第一固定ラックと第二固定ラックが上下に係合して構成されたものであり、前記Ｘ軸調節スクリューとＹ軸調節スクリューは、いずれも前記第一固定ラックと前記第二固定ラックとの間に収容されており、前記第一固定ラック又は前記第二固定ラックにおける、前記Ｘ軸調節スクリューに対応する箇所には、長手方向がＹ軸方向に延びる開口が開口され、前記Ｙ軸調節スクリューに対応する箇所には、長手方向がＸ軸方向に延びる開口が開口されており、前記Ｘ軸調節部の少なくとも一部及び前記Ｙ軸調節部の少なくとも一部は、いずれも対応する前記開口内にあり、且つ前記開口における対向する二つの長側壁は、その中にある前記Ｘ軸調節部の部分又は前記Ｙ軸調節部の部分に対して位置制限を行うことによって、前記Ｘ軸調節部又は前記Ｙ軸調節部に対する位置制限を実現する。
【００１２】
前記Ｘ軸調節部の外周側壁には、ツールを挿入してＸ軸調節スクリューを回転させることを容易にする複数のＸ軸調節孔が開口され、前記Ｙ軸調節部の外周側壁にはツールを挿入してＹ軸調節スクリューを回転させることを容易にする複数のＹ軸調節孔が開口されている。
【００１３】
好ましくは、前記可動ブロック毎における前記固定ラックに向かう面には、少なくとも一つのバンプが成形され、前記固定ラックの対応する位置に凹溝が成形されており、前記バンプは、移動可能に前記凹溝に係合されている。
【００１４】
好ましくは、前記可動ブロックに取り付けられた前記ＬＥＤモジュールの平面に垂直な方向がＺ軸方向と定義され、前記ＬＥＤモジュール取付け機構は、前記可動ブロックの中に取り付けられたＺ軸調節機構をさらに含み、前記ＬＥＤモジュールの隅部には、Ｚ軸連携構造が対応して設けられており、前記Ｚ軸調節機構は、前記ＬＥＤモジュールの前記Ｚ軸連携構造と共働して、ＬＥＤモジュールをＺ軸方向に前記可動ブロックに近づかせ又はそれから離れさせるように調節する。
【００１５】
前記可動ブロックには、Ｚ軸方向に延びる取付け穴が成形され、前記Ｚ軸調節機構は、軸方向に前記取付け穴内に位置制限されたＺ軸調節スクリューであり、前記Ｚ軸連携構造は、前記ＬＥＤモジュールの裏面の隅部に形成されたＺ軸調節スタッドであり、前記Ｚ軸調節スクリューは、前記ＬＥＤモジュールの隅部に形成されたＺ軸調節スタッドとねじ接続されている。
【００１６】
好ましくは、前記可動ブロック毎に、長手方向がＺ軸方向に延びる少なくとも一つの位置決め柱が設けられ、前記ＬＥＤモジュールにおける前記可動ブロックに対応して接続する隅部には、前記位置決め柱が挿入されることに適する少なくとも一つの位置決め穴が設けられており、前記位置決め柱は、前記位置決め穴に挿入されることができる。
【００１７】
前記取付け穴の内壁には、段差が成形され、前記Ｚ軸調節スクリューにおけるツールで捻ることに適するヘッドには、環状突起が成形されており、前記環状突起は、一側が前記段差に当接し、他側に位置制限ブロックが設けられており、前記Ｚ軸調節スクリューは、前記段差により前記位置制限ブロックと軸方向に前記取付け穴内に位置制限されている。
【発明の効果】
【００１８】
本発明の上記の技術的解決手段は、従来技術に比べて、以下の利点がある。
【００１９】
（１）本発明にかかるＬＥＤモジュール取付け機構において、固定ラックと、可動ブロックと、前記固定ラックに取り付けられた隙間調節機構とが含まれ、前記固定ラックは、「十」字状を呈し、水平ラックと垂直ラックが接続されて構成されたものであり、前記可動ブロックは、四つ設けられ、それぞれ前記固定ラックの四隅にあり、且つ前記可動ブロックは、前記固定ラックに移動可能に設けられ、前記可動ブロック毎に一つのＬＥＤモジュールが取り付けられ、前記隙間調節機構は、四つ設けられ、それらは、前記水平ラックと前記垂直ラックに取り付けられ、前記隙間調節機構毎の両端は、それぞれ二つの前記可動ブロックに接続され、両側の前記可動ブロックを相互に離れさせ又は近づかせるように調節することによって、二つの前記可動ブロックに取り付けられた二つのＬＥＤモジュールの間の隙間を調節する。上記ＬＥＤモジュール取付け機構は、前記ＬＥＤモジュールの間の隙間を調節できるため、ドットピッチの大きいＬＥＤモジュールに適用されることもでき、ドットピッチの小さいＬＥＤモジュールに適用されることもでき、応用範囲が十分に広い。そして、前記ＬＥＤモジュールに対して隙間調節を行う場合に、ギャップのないつなぎ合わせを実現でき、スクリーンは正面からを見るとブラックラインやブライトラインがなく、且つ手動でパッキングを加えることにより調整する必要がなく、調節効果が高く、調節方式が簡単で、調節時間を節約している。また、前記ＬＥＤモジュール取付け機構は、従来の磁気吸引によるＬＥＤモジュールの隙間調節方式に比べて、前記ＬＥＤモジュールの間の隙間は調節された後により安定的なものとなり、みずから又は外部からの干渉により変化しにくくなる。
【００２０】
（２）本発明にかかるＬＥＤモジュール取付け機構において、前記隙間調節機構は、両端にねじが成形された調節スクリューであり、前記Ｘ軸隙間調節機構は、Ｘ軸調節スクリューであり、前記Ｙ軸隙間調節機構は、Ｙ軸調節スクリューであり、前記可動ブロックにおける、前記Ｘ軸調節スクリューに向かう側面には前記Ｘ軸調節スクリューとねじ接続することに適するねじ穴が成形され、前記Ｙ軸調節スクリューに向かう側面には前記Ｙ軸調節スクリューとねじ接続することに適するねじ穴が成形されている。調節スクリュー及びねじ穴の構造により、前記隙間調節機構と前記可動ブロックとの間の接続と取外しを容易にしただけでなく、ねじ調節により、前記可動ブロックの間の相対運動をより正確且つ安定的に制御することが可能になるから、前記可動ブロックに取り付けられた前記ＬＥＤモジュールの間の隙間の調節がより正確且つ安定的になり、且つ調節方式が簡単で、操作しやすくなる。
【００２１】
（３）本発明にかかるＬＥＤモジュール取付け機構において、前記ＬＥＤモジュール取付け機構は、前記可動ブロックの中に取り付けられたＺ軸調節機構をさらに含み、前記Ｚ軸調節機構は、前記ＬＥＤモジュールに接続され、ＬＥＤモジュールをＺ軸方向に前記可動ブロックに近づかせ又はそれから離れさせるように調節する。Ｚ軸調節機構は、ＬＥＤモジュールの平面に垂直なＺ軸方向での隙間又は平面度を調節できる。前記ＬＥＤモジュールの表面が揃えられているのを保証でき、前記ＬＥＤモジュールは側面から見るとずれがなく、側面側にいる観衆に与える視覚効果を改善し、不合理なＺ軸平面度に起因してスクリーン同士は側面から見ると高低差があるという問題を克服し、側面側にいる観衆からは、スクリーン同士の間のブラックライン又は不連続な画像が見えることがない。
【００２２】
（４）本発明にかかるＬＥＤモジュール取付け機構において、前記取付け穴の内壁に段差が成形され、前記Ｚ軸調節スクリューにおけるツールで捻ることに適するヘッドには環状突起が成形されており、前記環状突起は、一方側が前記段差に当接し、他方側に位置制限ブロックが設けられており、前記Ｚ軸調節スクリューは、前記段差により前記位置制限ブロックと軸方向に前記取付け穴内に位置制限されている。このようにして、前記Ｚ軸調節スクリューは、平行移動運動が発生することなく、Ｚ軸のまわりに回転して運動するしかなく、前記Ｚ軸調節スクリューを調節すると、前記ＬＥＤモジュールのＸ軸とＹ軸での位置決めに影響することなく、前記ＬＥＤモジュールのＺ軸方向での平行移動のみを制御することになるから、前記ＬＥＤモジュールの前記ＬＥＤモジュール取付け機構での取付けと位置決めをより正確且つ安定的にするのを保証する。
【図面の簡単な説明】
【００２３】
【図１】従来の調整可能なＬＥＤ表示構造の立体図である。
【図２】本発明の実施例１にかかるＬＥＤモジュール取付け機構の立体分解図である。
【図３】本発明の実施例１にかかるＬＥＤモジュール取付け機構の正面図である。
【図４】実施例１にかかる固定ラックの立体図である。
【図５】実施例１にかかるＸ軸調節スクリューとＹ軸調節スクリューは固定ラックに取り付けられた立体図である。
【図６】ＬＥＤモジュールの上面図である。
【図７】実施例１にかかる四つのＬＥＤモジュールは本発明にかかるＬＥＤモジュール取付け機構における四つの可動ブロックに取り付けられた上面図である。
【図８】図７における領域Ａの部分拡大図である。
【図９】実施例１にかかるＬＥＤモジュールは本発明にかかるＬＥＤモジュール取付け機構に取り付けられた一つの状態での側面図であり、二つのＬＥＤモジュールの平面がずれていることを説明する図である。
【図１０】図９における領域Ｂの部分拡大図である。
【図１１】実施例１にかかるＬＥＤモジュールは本発明にかかるＬＥＤモジュール取付け機構に取り付けられたもう一つの状態での側面図であり、二つのＬＥＤモジュールの平面が揃えられていることを説明する図である。
【図１２】ＬＥＤモジュールの側面図である。
【図１３】本発明の実施例１にかかるＬＥＤモジュール取付け機構の右側面図である。
【図１４】本発明の実施例１にかかるＬＥＤモジュール取付け機構の背面図である。
【図１５】本発明の実施例１にかかるＬＥＤモジュール取付け機構の一つの状態での上面図であり、可動ブロックと固定ラックとの間のＸ軸方向での隙間がｄであることを説明する図である。
【図１６】本発明の実施例１にかかるＬＥＤモジュール取付け機構のもう一つの状態での上面図であり、可動ブロックと固定ラックとの間のＸ軸方向での隙間が０であることを説明する図である。
【図１７】本発明の実施例２にかかる複数のＬＥＤモジュールを本発明にかかるＬＥＤモジュール取付け機構により組み立てた上面図である。
【図１８】図１７における領域Ｃの部分拡大図である。
【図１９】本発明にかかるＬＥＤモジュール取付け機構のもう一つの実施態様である。
【発明を実施するための形態】
【００２４】
本発明の内容をより明瞭に理解しやすいようにするために、以下、本発明の具体的な実施例に基づいて、図面に合わせて本発明についてより詳細に説明する。
【００２５】
以下、図面に合わせて、下記の実施例を使用して本発明についてさらに説明する。
【００２６】
実施例１
図２〜図５に示すように、本発明にかかるＬＥＤモジュール取付け機構は、固定ラック２と、少なくとも二つの可動ブロック３と、固定ラック２に取り付けられた隙間調節機構とを含む。
【００２７】
そのうち、固定ラック２は複数の形状を呈してもよく、本実施例では、「十」字状を呈することが好ましく、水平ラック２１及び垂直ラック２２で構成され、水平ラック２１の延び方向がＸ軸方向と定義され、垂直ラック２２の延び方向がＹ軸方向と定義され、
可動ブロック３は水平ラック２１と垂直ラック２２の両側に四つ設けられ、「田」字状に分布されており、水平ラック２１の両側に設けられた可動ブロック３は、Ｘ軸方向に移動でき、垂直ラック２２の両側に設けられた可動ブロック３は、Ｙ軸方向に移動でき、可動ブロック３毎に一つのＬＥＤモジュール１００が取り付けられており（図６と図７を参照）、
隙間調節機構は四つ設けられ、それぞれ水平ラック２１と垂直ラック２２に取り付けられており、隙間調節機構毎の両端は、それぞれ二つの可動ブロック３に接続され、両側の可動ブロック３を相互に離れさせ又は近づかせるように調節することによって、二つの可動ブロック３に取り付けられた二つのＬＥＤモジュール１００の間の隙間を調節し、そのうち、水平ラック２１に取り付けられた隙間調節機構は、Ｙ軸隙間調節機構となり、垂直ラック２２に取り付けられた隙間調節機構は、Ｘ軸隙間調節機構となり、且つＹ軸隙間調節機構は、全体がＸ軸方向に移動可能に水平ラック２１に設けられ、Ｘ軸隙間調節機構は、全体がＹ軸方向に移動可能に垂直ラック２２に設けられている。
【００２８】
上記解決手段は、本発明の中核の解決手段であり、本発明にかかるＬＥＤモジュール取付け機構を「田」字状に布置された四つのＬＥＤモジュール１００に設けることにより、ＬＥＤモジュール取付け機構における四つの可動ブロック３をそれぞれこれら四つのＬＥＤモジュール１００の一隅に接続させ、Ｘ軸隙間調節機構を調節してＸ軸隙間調節機構の両側に設けられた可動ブロック３を近づかせ又は離れさせることによって、可動ブロック３に接続されるＬＥＤモジュール１００の間のＸ軸方向での隙間を調節し、Ｙ軸隙間調節機構を調節してＹ軸隙間調節機構の両側に設けられた可動ブロック３を近づかせ又は離れさせることによって、可動ブロック３に接続されるＬＥＤモジュール１００の間のＹ軸方向での隙間を調節する。Ｙ軸隙間調節機構は、全体がＸ軸方向に移動可能に水平ラック２１に設けられるので、二つの可動ブロック３のＸ軸方向での隙間を調節する場合、Ｙ軸隙間調節機構は、可動ブロック３とともに水平ラック２１に対してＸ軸方向に移動でき、Ｘ軸隙間調節機構による二つの可動ブロックのＸ軸方向での隙間の調節に干渉することがない。同様に、Ｘ軸隙間調節機構は、全体がＹ軸方向に移動可能に垂直ラックに設けられることができるので、Ｙ軸隙間調節機構による二つの可動ブロックのＹ軸方向での隙間の調節に干渉することもない。
【００２９】
Ｙ軸隙間調節機構は、全体がＸ軸方向に移動可能に水平ラック２１に設けられることができ、Ｘ軸隙間調節機構は、全体がＹ軸方向に移動可能に垂直ラック２２に設けられることができるのを実現する構造が複数あり、本実施例では、好ましくは、水平ラック２１には、長手方向がＸ軸方向に延びるＸ方向短冊状貫通孔２１１が成形され、垂直ラック２２には、長手方向がＹ軸方向に延びるＹ方向短冊状貫通孔２２１が成形されており、Ｘ軸隙間調節機構は、移動可能にＹ方向短冊状貫通孔２２１内にあり、且つＸ軸隙間調節機構の両端は、Ｙ方向短冊状貫通孔２２１から伸び出して左右の二つの可動ブロック３に接続され、二つの可動ブロック３をＸ軸方向に相互に離れさせ又は近づかせるように駆動でき、Ｙ軸隙間調節機構は、移動可能にＸ軸方向短冊状貫通孔２１１内にあり、且つＹ軸隙間調節機構の両端は、Ｘ方向短冊状貫通孔２１１から伸び出して上下の二つの可動ブロック３に接続され、二つの可動ブロック３をＹ軸方向に相互に離れさせ又は近づかせるように駆動できる。
【００３０】
図２、図４及び図５に示すように、隙間調節機構は、両端にねじが成形された調節スクリューであり、Ｘ軸隙間調節機構は、Ｘ軸調節スクリュー４であり、Ｙ軸隙間調節機構は、Ｙ軸調節スクリュー５であり、可動ブロック３における、Ｘ軸調節スクリュー４に向かう側面には、Ｘ軸調節スクリュー４とねじ接続することに適するＸ軸ねじ穴３５が成形され、Ｙ軸調節スクリュー５に向かう側面には、Ｙ軸調節スクリュー５とねじ接続することに適するＹ軸ねじ穴３６が成形されている。同時に、図７と図８に示すように、調節スクリュー及びねじ穴の構造により、隙間調節機構と可動ブロック３との間の接続と取外しを容易にしただけでなく、ねじ調節により、可動ブロック３の間の相対運動をより正確且つ安定的に制御することが可能になるから、可動ブロック３に取り付けられたＬＥＤモジュール１００の間の隙間の調節がより正確且つ安定的になり、且つ調節方式が簡単で、操作しやすくなる。
【００３１】
Ｘ軸調節スクリュー４は、Ｘ軸調節部４１と、Ｘ軸調節部４１の両側に固定接続された二つのＸ軸ねじ部４２とを含み、二つのＸ軸ねじ部４２のねじ山方向が反対のものであり、二つのＸ軸ねじ部４２は、それぞれＸ軸調節スクリュー４の両側のＸ軸ねじ穴３５とねじ接続され、Ｘ軸ねじ穴３５のねじ山方向が対応するＸ軸ねじ部４２と嵌合していることにより、二つの反対するねじ山に接続される二つの可動ブロック３は、方向が反対する運動を行うことになり、垂直ラック２２の両側の可動ブロック３がＸ軸方向に相互に近づき又は離れることを実現し、また、Ｙ軸調節スクリュー５は、Ｙ軸調節部５１と、Ｙ軸調節部５１の両側に固定接続された二つのＹ軸ねじ部５２とを含み、二つのＹ軸ねじ部５２のねじ山方向が反対のものであり、二つのＹ軸ねじ部５２は、それぞれＹ軸調節スクリュー５の両側のＹ軸ねじ穴３６とねじ接続され、Ｙ軸ねじ穴３６のねじ山方向が対応するＹ軸ねじ部５２と嵌合していることにより、二つの反対するねじ山に接続される二つの可動ブロック３は方向が反対する運動を行うことになり、水平ラック２１の両側の可動ブロック３がＹ軸方向に相互に近づき又は離れることを実現する。
【００３２】
Ｘ軸調節スクリュー４とＹ軸調節スクリュー５を容易且つ迅速に固定ラック２の中に取り付けるために、本実施例では、固定ラック２の構造は取外し可能なものであり、好ましくは、「十」字状を呈する第一固定ラック２３と「十」字状を呈する第二固定ラック２４が上下に係合して構成されたものであり、Ｘ軸調節スクリュー４とＹ軸調節スクリュー５は、いずれも第一固定ラック２３と第二固定ラック２４との間に収容されている。
【００３３】
第一固定ラック２３又は第二固定ラック２４における、Ｘ軸調節スクリュー４に対応する箇所には、長手方向がＹ軸方向に延びる開口２５が開口され、Ｙ軸調節スクリュー５に対応する箇所には、長手方向がＸ軸方向に延びる開口２６が開口されており、Ｘ軸調節部４１の少なくとも一部及びＹ軸調節部５１の少なくとも一部は、いずれも対応する開口２５、２６内にあり、且つ開口２５、２６における対向する二つの長側壁は、その中にあるＸ軸調節部４１の部分又はＹ軸調節部５１の部分に対して位置制限を行うことによって、Ｘ軸調節部４１又はＹ軸調節部５１に対する位置制限を実現する。これは、Ｘ軸調節スクリューがＸ軸方向に移動して、ＬＥＤモジュール１００の間の隙間をＸ軸方向に調節することに干渉するのをさらに防止し、及び、Ｙ軸調節スクリューがＹ軸方向に移動して、ＬＥＤモジュール１００の間の隙間をＹ軸方向に調節することに干渉するのを防止するためである。
【００３４】
Ｘ軸調節部４１の外周側壁には、ツールを挿入してＸ軸調節スクリュー４を回転させることを容易にする複数のＸ軸調節孔４１１が開口され、Ｙ軸調節部５１の外周側壁には、ツールを挿入してＹ軸調節スクリュー５を回転させることを容易にする複数のＹ軸調節孔５１１が開口されている。Ｘ軸調節スクリュー４を調節する場合、細長い棒状構造を有するツール（例えば、ドライバー）をＸ軸調節孔４１１に挿入し、ツールでＹ軸方向にＸ軸調節孔４１１を回せば、Ｘ軸調節スクリュー４の調節を実現し、また、Ｙ調節スクリュー５を調節する場合、細長い棒状構造を有するツール（例えば、ドライバー）をＹ軸調節孔５１１に挿入し、ツールでＸ軸方向にＹ軸調節孔５１１を回せば、Ｙ軸調節スクリュー５の調節を実現する。Ｘ軸調節孔４１１とＹ軸調節孔５１１を設けることによって、Ｘ軸調節スクリュー４とＹ軸調節スクリュー５の調節は労力がかからなくて行いやすくなる。
【００３５】
Ｘ方向短冊状貫通孔２１１とＹ方向短冊状貫通孔２２１の横断面の形状は、限制されるものではなく、短冊状を呈すればよく、例えば、長方形であってもよい。本実施例では、Ｘ方向短冊状貫通孔２１１とＹ方向短冊状貫通孔２２１の横断面はいずれも楕円形であることが好ましい。
【００３６】
図２に示すように、さらに、本実施例にかかる可動ブロック３毎における固定ラック２に向かう面には少なくとも一つのバンプ３１が成形され、固定ラック２の対応する位置に凹溝２７が設けられ、バンプ３１は、移動可能に凹溝２７に係合されている。バンプ３１と凹溝２７という構造を設けることによって、可動ブロック３を固定ラック２に直接取り付けて、Ｘ軸調節スクリュー４とＹ軸調節スクリュー５が受ける可動ブロック３の重量を分担することができ、可動ブロック３がＸ軸とＹ軸方向にやや運動できるのを保証するとともに、可動ブロック３がＸ軸とＹ軸がある平面に垂直な方向に移動するのを制限することもできる。
【００３７】
図２と図９〜図１１に示すように、可動ブロック３に取り付けられたＬＥＤモジュール１００の平面に垂直な方向がＺ軸方向と定義され、ＬＥＤモジュール取付け機構は、可動ブロック３の中に取り付けられたＺ軸調節機構をさらに含み、ＬＥＤモジュール１００の隅部にＺ軸連携構造が対応して設けられており、Ｚ軸調節機構は、ＬＥＤモジュール１００のＺ軸連携構造と協同して、ＬＥＤモジュール１００をＺ軸方向に可動ブロック３に近づかせ又はそれから離れさせるように調節する。
【００３８】
上記ＬＥＤモジュール取付け機構は、ＬＥＤモジュールの平面に垂直なＺ軸方向での隙間又は平面度を調節できる。ＬＥＤモジュールの表面が揃えられているのを保証でき、ＬＥＤモジュールは側面から見るとずれがなく、側面側にいる観衆に対する視覚効果を改善し、不合理なＺ軸平面度に起因するスクリーン同士の高低差の問題を克服し、側面側にいる観衆からは、スクリーン同士の間のブラックライン又は不連続な画像が見えることはない。
【００３９】
図２と図９〜図１２に示すように、可動ブロック３には、Ｚ軸方向に延びる取付け穴３２が成形されており、Ｚ軸調節機構は、軸方向に取付け穴３２内に位置制限されたＺ軸調節スクリュー６であり、Ｚ軸連携構造は、ＬＥＤモジュール１００の裏面の隅部に形成されたＺ軸調節スタッド７であり、Ｚ軸調節スクリュー６は、ＬＥＤモジュール１００の隅部に形成されたＺ軸調節スタッド７とねじ接続されている。Ｚ軸調節スクリュー６とＺ軸調節スタッド７との間のねじ構造によって、Ｚ軸調節スクリュー６によるＬＥＤモジュール１００のＺ軸方向での平面度の調節をより正確且つ安定的にすることができ、且つ操作が簡単になる。
【００４０】
図６、図１３及び図１４に示すように、さらに、可動ブロック３毎にＺ軸方向に延びる少なくとも一つの位置決め柱３３が設けられ、ＬＥＤモジュール１００の四隅の一つあたりには、少なくとも一つの位置決め穴８が対応して形成されており、位置決め柱３３は、位置決め穴８に挿入されることができ、位置決め柱３３とＺ軸調節スクリュー６によりＬＥＤモジュール１００に対して取付けと位置決めを行う。本実施例では、可動ブロック３毎に二つの位置決め柱３３が設けられ、ＬＥＤモジュール１００の四隅の一つあたりには、二つの位置決め穴８が対応して形成されている。
【００４１】
説明する必要があるのは、ＬＥＤモジュール１００を本発明にかかるＬＥＤモジュール取付け機構における可動ブロック３に取り付ける方式は、上記のＺ軸調節スクリューとＺ軸調節スタッドによるねじ接続の方式に限られず、ＬＥＤモジュール１００の裏面の四隅に係合フック又は係合溝が設けられ、ＬＥＤモジュール取付け機構における可動ブロック３に係合溝又は係合フックが対応して設けられ、ＬＥＤモジュール１００は、ＬＥＤモジュール取付け機構に係合して取り付けられてもよく、さらに、ピンでＬＥＤモジュールを可動ブロック３に取り付けてもよいことである。つまり、ＬＥＤモジュール１００は、各種の方式により可動ブロック３に取り付けられることができるが、本発明の重点ではなく、ここで詳しく述べることにならない。当然ながら、本実施例は、Ｚ軸調節スクリュー６とＺ軸調節スタッド７によるねじ接続の方式により、ＬＥＤモジュール１００を本発明にかかるＬＥＤモジュール取付け機構における可動ブロック３に取り付けることが好ましく、このような取付け方式によれば、部品を節約するとともに、操作しやすくなる。
【００４２】
図１０に示すように、さらに、本実施例では、取付け穴３２の内壁に段差３４が成形され、Ｚ軸調節スクリュー６におけるツールで捻ることに適するヘッドには、環状突起６１が成形されており、環状突起６１は、一側が段差３４に当接し、他側に位置制限ブロック９が設けられており、Ｚ軸調節スクリュー６は段差３４により位置制限ブロック９と軸方向に取付け穴３２内に位置制限されている。このようにして、Ｚ軸調節スクリュー６は、平行移動運動が発生することなく、Ｚ軸のまわりに回転して運動するしかなく、Ｚ軸調節スクリュー６を調節すると、ＬＥＤモジュール１００のＸ軸とＹ軸での位置決めに影響することなく、ＬＥＤモジュール１００のＺ軸方向での平行移動のみを制御することになるから、ＬＥＤモジュール１００のＬＥＤモジュール取付け機構での取付けと位置決めをより正確且つ安定的にするのを保証する。
【００４３】
本発明にかかるＬＥＤモジュール取付け機構の組立て、及び、それによりＬＥＤモジュール１００を取り付けて隙間を調節する過程は下記のとおりである。
【００４４】
ＬＥＤモジュール取付け機構を組み立てる場合、図２〜図５に示すように、まず、Ｘ軸調節スクリュー４とＹ軸調節スクリュー５を四つの可動ブロック３にねじ接続し、そして上記の接続された全体を第二固定ラック２４又は第一固定ラック２３に置き、さらに第一固定ラック２３又は第二固定ラック２４で覆い合い、そしてＺ軸調節スクリュー６を取付け穴３２の中に収容し、さらに位置制限ブロック９をＺ軸調節スクリュー６のテール方向から取付け穴３２に入れてＺ軸調節スクリュー６の環状突起６１に当接させ（図１０を参照）、そして位置制限ブロック９を可動ブロック３に固定すれば、ＬＥＤモジュール取付け機構全体の組立てが完成する。
【００４５】
ＬＥＤモジュール１００を取り付ける場合、まず、本発明にかかるＬＥＤモジュール取付け機構を組み立ておき、そして図６と図１２〜図１４に示すように、ＬＥＤモジュール１００のＺ軸調節スタッド７と二つの位置決め穴８をそれぞれ同時に可動ブロック３のＺ軸調節スクリュー６と二つの位置決め柱３３に合わせ、さらにＬＥＤモジュール１００の二つの位置決め穴８を可動ブロック３の対応する二つの位置決め柱３３に嵌挿する（図８を参照）とともに、ＬＥＤモジュールのＺ軸調節スタッド７を可動ブロック３のＺ軸調節スクリュー６にねじ接続すれば、ＬＥＤモジュール１００のＬＥＤモジュール取付け機構での位置決めと取付けが完成する。
【００４６】
ＬＥＤモジュール１００をＬＥＤモジュール取付け機構に取り付けた後、ＬＥＤモジュール１００の間のＸ軸方向での隙間を小さく調節しようとすると、図１５に示されるように、Ｘ軸調節孔４１１を回して垂直ラック２２の両側の可動ブロック３を同時且つ相互に近づかせ、この時、可動ブロック３に取り付けられたＬＥＤモジュール１００の間の隙間もＸ軸方向に小さくなってしまい（図７と図８を参照）、また、ＬＥＤモジュール１００の間のＸ軸方向での隙間を大きく調節しようとすると、Ｘ軸調節孔４１１を逆に調節して、可動ブロック３と固定ラック２との間の隙間を徐々に大きくし、それに従って、可動ブロック３に取り付けられたＬＥＤモジュール１００の間の隙間も大きくなってしまう。ＬＥＤモジュール１００の間のＹ軸方向での隙間の調節は、Ｘ軸調節孔４１１の代わりにＹ軸調節孔５１１を回すこと以外、上記のＸ軸方向での隙間の調節と同様な操作である。可動ブロック３と固定ラック２との間の隙間のＸ，Ｙ軸方向での調節範囲は非常に広く、初期隙間であるｄ（図１５を参照）から０になるまで小さく調節することができる（図１６を参照）。
【００４７】
二つのＬＥＤモジュール１００の間のＺ軸方向での平面度を調節しようとすると、図９〜図１１に示されるように、二つのＬＥＤモジュール１００は、側面から見て距離ｈのずれがあると、Ｚ軸調節スクリュー６のヘッドにおける凹溝にマッチするツールを、図１０における右側のＬＥＤモジュール１００と接続されるＺ軸調節スクリュー６のヘッドに挿入して回転させ、ＬＥＤモジュール１００のＺ軸調節スクリュー６とねじ接続されるＺ軸調節スタッド７はねじに動かされて上に移動することによって、ＬＥＤモジュール１００は、二つのＬＥＤモジュールの平面が揃うまで動かされて上に移動し、図１１に示されるように、調節を停止すれば、ＬＥＤモジュール１００のＺ軸方向での平面度の調節が完成する。
【００４８】
一つのＬＥＤモジュール取付け機構には四つのＬＥＤモジュール１００が取り付けられており、ＬＥＤモジュール１００毎はその四隅の一つを介して一つのＬＥＤモジュール取付け機構に取り付けられ、残りの三つの隅がそれぞれ他のＬＥＤモジュール取付け機構に取り付けられ、第一のＬＥＤモジュール取付け機構における四つのＬＥＤモジュール１００の間のＸ，Ｙ，Ｚ軸での隙間の調節を完成した後に、さらに調節されたＬＥＤモジュールを第二のＬＥＤモジュール取付け機構により、他のＬＥＤモジュール１００と取り付けてつなぎ合わせ、必要ならば、さらに第二のＬＥＤモジュール取付け機構における残りのＬＥＤモジュール１００に対してＸ，Ｙ，Ｚ軸での隙間の調節を行い、この順に以上の操作を繰り返せば、適切な数のＬＥＤモジュール取付け機構によりすべてのＬＥＤモジュール１００を適切なＸ，Ｙ，Ｚ軸隙間にしながら一体に取り付けて、ドットピッチの小さくて優れた視覚効果を有するＬＥＤスクリーンを構成することが可能になる。
【００４９】
実施例２
本発明の実施例２は、実施例１とほぼ同様であるが、固定ラック２が「Ｔ」字状を呈する点で実施例１と異なっており、例えば図１７と図１８に示されるように、固定ラック２の垂直ラック２２は、水平ラック２１に接続され、本実施例では、水平ラック２１の中間位置に接続されることが好ましく、水平ラック２１の両端には可動ブロック３をＹ軸方向に一体に接続する二つのＹ軸調節スクリュー５がそれぞれ設けられ、垂直ラック２２には、可動ブロック３をＸ軸方向に一体に接続する一つのＸ軸調節スクリュー４が設けられており、このようにして、四つの可動ブロック３はＸ軸とＹ軸調節スクリューによりすべて固定ラック２に取り付けられ、可動ブロック３に取り付けられたＬＥＤモジュール１００は、本実施例にかかる複数のＬＥＤモジュール取付け機構により、さらに図１７に示されるようなＬＥＤディスプレイスクリーンにつなぎ合わせられることも可能になる。本実施例は、同様に、ＬＥＤモジュール１００のＸ，Ｙ軸での隙間の調節及びＺ軸での平面度の調節を実現でき、調節方式は実施例１とほぼ同様であるため、ここでは、贅言を要さない。また、本実施例も、ＬＥＤモジュール１００の一つのＬＥＤモジュール取付け機構での隙間及び平面度の調節を完成してから、複数のＬＥＤモジュール取付け機構により他のＬＥＤモジュール１００とつなぎ合わせてＬＥＤディスプレイスクリーンとするものである。
【００５０】
本発明にかかるＬＥＤモジュール取付け機構において、可動ブロック３は、「田」字状に分布されるものに限られず、それぞれ水平ラック２１と垂直ラック２２の両側に設けられることを満たすとともに、Ｘ、Ｙ軸方向に相互に近づいて離れることを実現できれば、いずれも本発明の保護範囲にある。例えば、図１９に示されるように、固定ラックは、「Ｌ」字状を呈し、可動ブロック３は三つあり、それぞれ水平ラック２１と垂直ラック２２の両側に設けられているものであってもよく、このような可動ブロック３の分布は、同様に、Ｘ軸調節スクリュー４とＹ軸調節スクリュー５により、ＬＥＤモジュール１００のＸ、Ｙ軸方向での隙間の調節及びＺ軸方向での平面度の調節を実現することができる。
【００５１】
本発明にかかるＬＥＤモジュール取付け機構は、構造が簡単でコンパクトであり、ドットピッチの大きいＬＥＤディスプレイスクリーンに適用されることもでき、ドットピッチの小さいＬＥＤディスプレイスクリーンに適用されることもでき、応用範囲が十分に広い。そして、ＬＥＤモジュール１００に対して隙間調節を行う場合に、ギャップのないつなぎ合わせを実現でき、スクリーンは、正面から見てブラックラインやブライトラインがなく、且つ手動でパッキングを加えることにより調節する必要がなく、調節効果が高く、調節方式が簡単で、調節時間を節約する。また、ＬＥＤモジュール取付け機構は、従来の磁気吸引によるＬＥＤモジュールの隙間調節方式に比べて、ＬＥＤモジュール１００の間の隙間は、調節された後により安定的なものとなり、みずから又は外部からの干渉により変化しにくくなる。
【００５２】
上記の実施例は、実施の形態を限定するものではなく、説明を明瞭にするために挙げられた例であることは明らかである。当業者にとっては、上記説明に基づけば、その他の形式の異なる変形又は変更を行うこともできる。ここで、すべての実施の形態を網羅的に挙げる必要がないが、これは不可能なことでもある。上記の実施例から派生した明らかな変形又は変更は、やはり本発明による保護範囲にある。
【符号の説明】
【００５３】
１００  ＬＥＤモジュール
２  固定ラック
２１  水平ラック
２２  垂直ラック
２３  第一固定ラック
２４  第二固定ラック
２５  開口
２６  開口
２７  凹溝
３  可動ブロック
３１  バンプ
３２  取付け穴
３３  位置決め柱
３４  段差
３５  Ｘ軸ねじ穴
３６  Ｙ軸ねじ穴
４  Ｘ軸調節スクリュー
４１  Ｘ軸調節部
４１１  Ｘ軸調節孔
４２  Ｘ軸ねじ部
５  Ｙ軸調節スクリュー
５１  Ｙ軸調節部
５１１  Ｙ軸調節孔
５２  Ｙ軸ねじ部
６  Ｚ軸調節スクリュー
６１  環状突起
７  Ｚ軸調節スタッド
８  位置決め穴
９  位置制限ブロック
【図１】
2017506368.tif 000003
【図２】
2017506368.tif 000004
【図３】
2017506368.tif 000005
【図４】
2017506368.tif 000006
【図５】
2017506368.tif 000007
【図６】
2017506368.tif 000008
【図７】
2017506368.tif 000009
【図８】
2017506368.tif 000010
【図９】
2017506368.tif 000011
【図１０】
2017506368.tif 000012
【図１１】
2017506368.tif 000013
【図１２】
2017506368.tif 000014
【図１３】
2017506368.tif 000015
【図１４】
2017506368.tif 000016
【図１５】
2017506368.tif 000017
【図１６】
2017506368.tif 000018
【図１７】
2017506368.tif 000019
【図１８】
2017506368.tif 000020
【図１９】
2017506368.tif 000021
【国際調査報告】
2017506368.tif 000022
2017506368.tif 000023
2017506368.tif 000024
2017506368.tif 000025
2017506368.tif 000026
2017506368.tif 000027